(57)【要約】【課題】放送局の各地域毎の中継局地に割り当てられた周波数の情報を記憶していないユーザであっても簡易、迅速且つ確実にプリセット登録を行えるようにすること。【解決手段】この受信装置は、複数のエリアと地域とを対応付けて管理するエリア・地域情報管理テーブル３ａと、上記地域ごとに、放送局、中継局地、及びその周波数の情報を対応付けて管理するプリセット局情報管理テーブル３ｂと、上記エリアごとに、放送局名、複数の中継地及びその周波数の情報を対応付けて管理する中継局情報管理テーブル３ｃとを記憶する記憶部３と、地域からエリアの設定を行うエリア・地域設定機能２ａと、機能２ａにより設定された地域に対応するプリセット登録を行なうプリセット局設定機能２ｂと、プリセット登録された中継地及びその周波数の情報の少なくとも一部を更新する中継局設定機能２ｃを有する制御部１を備える。【選択図】      図１
2008259034.tif 000002
【特許請求の範囲】
【請求項１】
複数の広域識別情報と小地域識別情報とを対応付けて管理する第１のテーブルと、上記小地域識別情報ごとに、放送局、中継局地、及びその周波数の情報を対応付けて管理する第２のテーブルと、上記広域識別情報ごとに、放送局名、複数の中継地及びその周波数の情報を対応付けて管理する第３のテーブルと、を記憶する記憶手段と、
上記第１のテーブルを参照して小地域識別情報から広域識別情報の設定を行う第１の機能と、上記第２のテーブルを参照して小地域識別情報に対応するプリセット登録を行う第２の機能と、上記第３のテーブルを参照して当該プリセット登録された中継地及びその周波数の情報の少なくとも一部を更新する第３の機能とを有する制御手段とを備えた
ことを特徴とする受信装置。
【請求項２】
操作入力を受け付けるための操作入力手段と、
複数の広域識別情報と小地域識別情報とを対応付けて管理する第１のテーブルと、上記小地域識別情報ごとに、放送局、中継局地、及びその周波数の情報を対応付けて管理する第２のテーブルと、上記広域識別情報ごとに、放送局名、複数の中継地及びその周波数の情報を対応付けて管理する第３のテーブルと、を記憶する記憶手段と、
設定のための画面を表示する表示手段と、
上記第１のテーブルを参照して小地域識別情報の設定を上記表示手段にて促し、上記操作入力手段の入力に基づいて小地域識別情報から広域識別情報の設定を行う第１の機能と、上記第２のテーブルを参照して小地域識別情報に対応するプリセット登録を行う第２の機能と、上記第３のテーブルを参照して当該プリセット登録された中継地及びその周波数の情報の少なくとも一部の更新を上記表示手段にて促し、上記操作入力手段の入力に基づいて当該中継地及びその周波数の情報の少なくとも一部を更新する第３の機能と、を有する制御手段とを備えた
ことを特徴とする受信装置。
【請求項３】
上記プリセット登録された中継地及びその周波数の情報の少なくとも一部の更新を上記表示手段にて促すときには、選択し得る複数の中継局地の名称及びその周波数の組み合わせの情報を合わせて表示する
ことを特徴とする請求項２に記載の受信装置。
【請求項４】
受信装置において、放送局の周波数のプリセット設定方法であって、
複数の広域識別情報と小地域識別情報とを対応付けて管理する第１のテーブルを参照して小地域識別情報から広域識別情報の設定を行うステップと、
上記小地域識別情報ごとに、放送局、中継局地、及びその周波数の情報を対応付けて管理する第２のテーブルを参照して小地域識別情報に対応するプリセット登録を行うステップと、
上記広域識別情報ごとに、放送局名、複数の中継地及びその周波数の情報を対応付けて管理する第３のテーブルを参照して当該プリセット登録された中継地及びその周波数の情報の少なくとも一部を更新するステップを有する
ことを特徴とするプリセット設定方法。
【発明の詳細な説明】
【技術分野】
【０００１】
本発明は、例えばラジオ放送波等を受信する受信装置等に係り、特に放送局の各地域に対応した中継局地及びその周波数の情報をプリセット登録する機能を備えた受信装置及びプリセット設定方法に関する。
【背景技術】
【０００２】
従来、ラジオ放送波やワンセグ放送波を受信する受信装置の中には、使用する地域に対応する周波数の情報をプリセット登録する機能を備えたものがある。このような受信装置は、各地域で選局可能な周波数の情報をデータテーブルで保持している。
【０００３】
このような受信装置では、ユーザにより所望とする地域が選択されると、当該地域で選局可能な周波数をプリセット登録する。このプリセット登録については、ユーザがデータテーブルに係る表示を参照してマニュアルで選択する場合と、受信装置の制御部がデータテーブルをスキャンして受信できる周波数を自動的に選択する場合とがある。
【０００４】
ここで、例えば特許文献１では、受信地の近傍の都市からの放送波を受信したときの受信感度の最も高い放送波を指定し、この指定された放送波が含まれる放送波群を構成する各放送波の周波数をプリセット記憶する技術が開示されている。
【０００５】
【特許文献１】特開２００２−２３２２６６号公報
【発明の開示】
【発明が解決しようとする課題】
【０００６】
しかしながら、前述したマニュアルで選択する手法では、ユーザがデータテーブルの中から使用場所で受信できる周波数を一つ一つ確認しながら登録する必要がある。
【０００７】
また、前述した自動的に選択する手法では、受信する場所を移動した際には再びスキャンをしなければ最適のプリセット状態にはならず、また受信状況によっては正確にスキャンできない場合もある。いずれの場合も、設定に時間を要し効率的ではない。
【０００８】
さらに、このプリセット登録した周波数を呼び出すためには、聞きたい放送局が割り当てられているプリセット番号を選択することになるが、通常の表示手段ではプリセット番号と受信周波数しか表示されないため、ユーザは放送局毎にプリセット番号と周波数の割り当てを記憶しておかなければならない。しかしながら、ユーザは、一般的にはそのような割り当てを把握していない場合が多いことから、受信が良好な周波数をプリセット登録するのに手間と時間を要していた。
【０００９】
そこで、本発明は、放送局の各地域毎の中継局地に割り当てられた周波数の情報を記憶していないユーザであっても、簡易、迅速且つ確実にプリセット登録を行えるようにすることを課題とする。
【課題を解決するための手段】
【００１０】
本発明の第１の観点による受信装置は、記憶手段が複数の広域識別情報と小地域識別情報とを対応付けて管理する第１のテーブルと、上記小地域識別情報ごとに、放送局、中継局地、及びその周波数の情報を対応付けて管理する第２のテーブルと、上記広域識別情報ごとに、放送局名、複数の中継地及びその周波数の情報を対応付けて管理する第３のテーブルと、を記憶している。そして、制御手段が、上記第１のテーブルを参照して小地域識別情報から広域識別情報の設定を行う第１の機能と、上記第２のテーブルを参照して小地域識別情報に対応するプリセット登録を行う第２の機能と、上記第３のテーブルを参照して当該プリセット登録された中継地及びその周波数の情報の少なくとも一部を更新する第３の機能とを有する。
【００１１】
したがって、小地域識別情報に対応するプリセット登録がなされ、広域識別情報に基づいて、プリセット登録された中継地及びその周波数の情報の更新がなされる。
【００１２】
本発明の第２の観点による受信装置は、操作入力手段が操作入力を受け付け、記憶手段が、複数の広域識別情報と小地域識別情報とを対応付けて管理する第１のテーブルと、上記小地域識別情報ごとに、放送局、中継局地、及びその周波数の情報を対応付けて管理する第２のテーブルと、上記広域識別情報ごとに、放送局名、複数の中継地及びその周波数の情報を対応付けて管理する第３のテーブルとを記憶する。表示手段は、設定のための画面を表示し、制御手段は、上記第１のテーブルを参照して小地域識別情報の設定を上記表示手段にて促し、上記操作入力手段の入力に基づいて小地域識別情報から広域識別情報の設定を行う第１の機能と、上記第２のテーブルを参照して小地域識別情報に対応するプリセット登録を行う第２の機能と、上記第３のテーブルを参照して当該プリセット登録された中継地及びその周波数の情報の少なくとも一部の更新を上記表示手段にて促し、上記操作入力手段の入力に基づいて当該中継地及びその周波数の情報の少なくとも一部を更新する第３の機能と、を有する。
【００１３】
したがって、表示手段を介してユーザにプリセット登録などが促され、操作入力手段の操作入力を受けて、小地域識別情報に対応するプリセット登録がなされ、広域識別情報に基づいて、プリセット登録された中継地及びその周波数の情報の更新がなされる。
【００１４】
本発明の第３の観点によるプリセット設定方法は、受信装置において、放送局の周波数をプリセットする設定方法であって、複数の広域識別情報と小地域識別情報とを対応付けて管理する第１のテーブルを参照して小地域識別情報から広域識別情報の設定を行い、上記小地域識別情報ごとに、放送局、中継局地、及びその周波数の情報を対応付けて管理する第２のテーブルを参照して小地域識別情報に対応するプリセット登録を行い、上記広域識別情報ごとに、放送局名、複数の中継地及びその周波数の情報を対応付けて管理する第３のテーブルを参照して当該プリセット登録された中継地及びその周波数の情報の少なくとも一部を更新する。
【００１５】
したがって、小地域識別情報に対応するプリセット登録がなされ、広域識別情報に基づいて、プリセット登録された中継地及びその周波数の情報の更新がなされる。
【発明の効果】
【００１６】
本発明によれば、放送局の各地域毎に割り当てられた中継局地の周波数の情報を記憶していないユーザであっても、簡易、迅速且つ確実にプリセット登録を行えるようにする受信装置及びプリセット設定方法を提供することができる。
【発明を実施するための最良の形態】
【００１７】
以下、図面を参照して、本発明を実施するための最良の実施の形態（以下、単に実施の形態と称する）について詳細に説明する。
【００１８】
先ず、図１には本発明の一実施の形態に係る受信装置の構成を示し説明する。
【００１９】
この図１に示されるように、この受信装置は、制御プログラム２に基づいて全体の制御を司る制御部１と、記憶部３、表示部４、操作入力部５、受信部６、復調部７、音声出力部８からなる。受信部６は、ラジオ放送波等を受信するためのアンテナ６ａを備え、記憶部３には、エリア・地域情報管理テーブル３ａ、プリセット局情報管理テーブル３ｂ、中継局情報管理テーブル３ｃが格納されている。
【００２０】
ここで、制御部２は例えば制御手段として機能し、記憶部３は例えば記憶手段として機能し、表示部４は例えば表示手段として機能し、操作入力部５は例えば操作入力手段として機能する。更に、エリア・地域情報管理テーブル３ａは例えば第１のテーブルとして機能し、プリセット局情報管理テーブル３ｂは例えば第２のテーブルとして機能し、中継局情報管理テーブル３ｃは例えば第３のテーブルとして機能する。
【００２１】
尚、制御プログラム２も、当該記憶部３に格納されており、制御部１は当該記憶部３から制御プログラム２を読み出し実行する。そして、制御部１は、当該制御プログラム２に基づいて動作を行うことで、エリア・地域設定機能２ａ、プリセット局設定機能２ｂ、中継局設定機能２ｃを奏することとなる。
【００２２】
このような構成において、この受信装置は、ＰＬＬ(Phase Locked Loop)シンセサイザ方式を採用している。このＰＬＬ方式は、デバイスの周波数を調節する電子回路を用いるもので、設定された基準周波数や入力信号に対して出力信号の周波数を一致させる。
【００２３】
このＰＬＬ方式による受信装置能は、受信部６が備えている。例えばラジオ放送波の受信時には、制御部１は、放送局の周波数の情報を記憶部３から読み出し、当該周波数の情報に従ってＰＬＬの電子回路（可変分周回路）の分周比をセットし、当該周波数の情報に対応したラジオ放送波を、アンテナ６ａを介して受信し、放送信号を出力する。復調部７は、放送信号の変調方式に応じた復調処理を行って音声信号を生成する。この音声信号は音声出力部８に送出され、増幅された後、音声として出力される。
【００２４】
また、制御部１は、制御プログラム２を実行することで、エリア・地域設定機能２ａを奏する。この場合には、制御部１は、詳細は後述するエリア・地域情報管理テーブル３ａを参照することでエリア・地域設定の為の情報を表示部４に表示し、操作入力部５の操作による設定を促し、当該操作入力部５の操作入力を受けてエリア・地域設定を行う。
【００２５】
更に、制御部１は、制御プログラム２を実行することで、プリセット局設定機能２ｂを奏する。この場合には、制御部１は、詳細は後述するプリセット局情報管理テーブル３ｂを参照することでプリセット局設定のための情報を表示部４に表示し、操作入力部５の操作による設定を促し、当該操作入力部５の操作入力を受けてプリセット登録を行う。
【００２６】
そして、制御部１は、制御プログラム２を実行することで、中継局設定機能２ｃを奏する。この場合には、制御部１は、詳細は後述する中継局情報管理テーブル３ｃを参照することで中継局設定のための情報を表示部４に表示し、操作入力部５の操作による設定を促し、当該操作入力部５の操作入力を受けて中継局設定を行う。すなわち、エリア・地域設定機能２ａによれば、当該エリアに割り当てられた都道府県（都市）から広域識別情報としてのエリアを設定することができる。プリセット局設定機能２ｂによれば、設定された地域に好適なプリセット登録を行うことができる。そして、中継局設定機能２ｃによれば、設定されたプリセット登録の内容を更新することができる。
【００２７】
尚、この実施の形態に係る受信装置を、例えば、テレビ放送波、特にワンセグ放送波等といった他のメディア放送を受信可能としたり、携帯電話機や音楽プレイヤ等の機能を複合的に備えるように構成したりしてもよいことは勿論である。
【００２８】
次に、図２には、図１の受信装置の構成を更に具現化して示し説明する。
【００２９】
この図２に示されるように、この実施の形態に係る受信装置は、アンテナ１１と、チューナ部１２、中間周波増幅回路（ＩＦ）１３、復調回路１４、増幅回路１５、スピーカ１６、ＣＰＵ(Central Processing Unit)１７、ＲＯＭ(Read Only Memory)１９、ＲＡＭ(Random Access Memory)２０、プリセットメモリ２１、ＬＣＤ(Liquid Crystal Display)コントローラ２３、ＬＣＤ２４、キー操作部２７を備えている。
【００３０】
ＣＰＵ１７は、制御バス２５を介して、ＲＯＭ１９、ＲＡＭ２０、プリセットメモリ２１と通信自在となっている。さらに、このＣＰＵ１７は、Ｉ／Ｏ(Input/Output)ポート１８、２２、２６、並びに制御バス２５を介して、チューナ部１２、ＬＣＤコントローラ２３、キー操作部２７の各部と通信自在となっている。
【００３１】
ここで、図１の各構成と図２の各構成との関係を説明すると、アンテナ１１及びチューナ部１２は、図１のアンテナ６ａ及び受信部６に相当し、復調回路１３は図１の復調部７に相当し、増幅回路１５及びスピーカ１６は図１の音声出力部８に相当し、ＬＣＤコントローラ２３とＬＣＤ２４は図１の表示部４に相当し、キー操作部２７は図１の操作入力部５に相当し、ＣＰＵ１７は図１の制御部１に相当し、ＲＯＭ１９、ＲＡＭ２０、プリセットメモリ２１は図１の記憶部３に相当する。但し、これに限定されない。
【００３２】
このような構成において、ＲＯＭ１９には、ＣＰＵ１７において実行される各種のプログラムや、各種の処理において必要なデータが記憶されている。ＲＡＭ２０は、各種処理の作業領域として用いられる。また、前述したエリア・地域情報管理テーブル３ａ、プリセット局情報管理テーブル３ｂ、中継局情報管理テーブル３ｃもＲＯＭ１９に格納されている。プリセットメモリ２１は、プリセット番号毎に領域が割り当てられており、プリセット登録された情報を対応する領域に格納するものである。
【００３３】
また、ＬＣＤ２４は、例えば、プリセットメモリ２１に記憶された選局に関するプリセット登録の情報に基づいて、後述するが中継局地と周波数等を対応付けて表示したり、あるいは、警告メッセージ等の各種のガイダンスメッセージを表示したりする。これらの表示はＩ／Ｏポート２２を通じてＣＰＵ１７の制御を受けるＬＣＤコントローラ２３を通じてＬＣＤ２４に表示するようにされる。従って、ユーザは、ＬＣＤ２４に表示された各種画面を参照することでプリセット登録の情報等を確認することができ、キー操作部２７を操作することで、所望とする地域やプリセット登録の情報を更新等することができる。更新されたプリセットの情報は、プリセットメモリ２１に記憶される。
【００３４】
アンテナ１１により受信された放送信号は、チューナ部１２に供給される。このチューナ部１２は、ユーザによる例えばキー操作部２７の操作に応じたＣＰＵ１７からの選局情報に基づいて、目的とする放送局の放送信号を選局し、選局した放送信号を中間周波信号に変換する。この中間周波信号は、中間周波増幅回路１３を通じて、復調回路１４に供給される。前述したとおり、チューナ部１２は、所謂ＰＬＬシンセサイザ方式のチューナの構成とされ、ＣＰＵ１７から、選局情報としてＰＬＬデータ、即ちＰＬＬループの可変分周回路の分周比のデータの供給を受け、目的とする放送局の放送信号を選局する。
【００３５】
従って、ＣＰＵ１７は、プリセットメモリ２１に記憶されている情報、例えば、その放送局の周波数情報に基づいて、当該放送チャンネルを選局するための分周比のＰＬＬデータを形成し、これをチューナ部１２に供給する。復調回路１４は、選局された放送信号の変調方式に応じた復調処理を行って音声信号を形成し、増幅回路１５に供給する。増幅回路１５は、この音声信号を増幅し、これをスピーカ１６に供給する。これによりスピーカ１６からは、音声信号に応じた音声（ラジオ放送）が出力される。
【００３６】
次に、図３には受信装置の外観構成を示し説明する。
【００３７】
この図３に示されるように、受信装置１００には、ＬＣＤ画面１０１と音量ボタン１０２、電源ボタン１０３、ＴＶ／ラジオボタン１０４、画面／バンドボタン１０５、ジョグレバー１０７、設定ボタン１０７、スピーカ１０８、インジケータ１０９が配設されている。以下、各部１０１乃至１０９について、更にその機能を説明する。
【００３８】
先ず、ＬＣＤ画面１０１には、後述する各種オペレーション画面が表示される。音量ボタン１０２は、スピーカ１０８から出力される音声の音量を調整するものである。電源ボタン１０３は、電源のＯＮ／ＯＦＦを設定するものである。ＴＶ／ラジオボタン１０４はＴＶとラジオの出力切り替えを行うものである。画面／バンドボタン１０５は、画面の表示を切り替えるものである。ジョグレバー１０６は、放送局の選局や画面上のカーソルの移動、決定の操作をするものである。尚、後述する画面の遷移は、このジョグレバー１０６の操作に基づく制御信号をＣＰＵ１７が受けることで切り替えられる。設定ボタン１０７は、例えば設定メニューをＬＣＤ画面１０１に表示するものである。スピーカ１０８は音声出力をするものである。そして、インジケータ１０９は、電源のオン時、充電中を示唆するものである。尚、これら各部１０１乃至１０９のうち、音量ボタン１０２、電源ボタン１０３、ＴＶ／ラジオボタン１０４、画面／バンドボタン１０５、ジョグレバー１０６、設定ボタン１０７は、キー操作部２７に概念上含まれる。
【００３９】
ここで、図４乃至図６を参照して、エリア・地域情報管理テーブル３ａ、プリセット局情報管理テーブル３ｂ、中継局情報管理テーブル３ｃについて詳細に説明する。
【００４０】
図４は、エリア・地域情報管理テーブル３ａの一例を示している。
【００４１】
この実施の形態に係る受信装置では、放送局の数を考慮して、各都道府県（都市）、つまり地域を１４のエリアに分けている。すなわち、「北海道」、「東北１」、「東北２」、「関東１」、「関東２」、「中部」、「東海」、「北陸」、「近畿１」、「近畿２」、「中国」、「四国」、「九州１」、「九州２」の１４エリアである。エリア・地域情報管理テーブル３ａは、これら１４のエリアと各エリアに含まれる地域とを対応付けて管理している。例えば、「札幌」、「函館」、「旭川」、「帯広」、「釧路」、「北見」、「室蘭」の７つの地域であれば、エリア「北海道」が対応付けられて管理されている。
【００４２】
図５（ａ）乃至（ｃ）は、プリセット局情報管理テーブル３ｂの一例を示している。
【００４３】
この実施の形態に係る受信装置では、プリセット局情報管理テーブル３ｂが、各地域（各都道府県（都市））毎に、プリセット番号に初めに登録すべき放送局／中継局地と周波数の情報を対応付けて管理している。例えば、図５（ａ）は地域「宮城」についてのプリセット登録に係る情報について、図５（ｂ）は地域「山形」についてのプリセット登録に係る情報について、図５（ｃ）は地域「福島」についての各プリセット登録に係る情報を管理するプリセット局情報管理テーブルである。具体的には、例えば地域「宮城」については、図５（ａ）に示されるように、プリセット番号「１」に放送局／中継局地「ＮＨＫ・ＦＭ／仙台」、周波数「８２．５（ＭＨｚ）」が対応付けられて管理されている。
【００４４】
図６は、中継局情報管理テーブル３ｃの一例を示している。
【００４５】
この実施の形態に係る受信装置では、中継局情報管理テーブル３ｃが、広域識別情報としてのエリアごとに、プリセット番号と放送局名、中継局地、周波数の情報を対応付けて管理している。例えば図６に示したのは、エリア「東北２」についてＦＭバンドの放送局の全周波数を収めた中継局情報管理テーブルである。
【００４６】
例えば、プリセット番号「２」の放送局名「Ｄａｔｅ  ｆｍ」については、中継局地として「仙台」、「気仙沼」、「白石」、「志津川」、「鳴子」の５つがあり、それぞれの周波数が「７７．１（ＭＨｚ）」、「８１．３（ＭＨｚ）」、「８１．４（ＭＨｚ）」、「８４．１（ＭＨｚ）」、「８４．１（ＭＨｚ）」であることが、同テーブル３ｃから判る。
【００４７】
ここで、図６の中継局情報管理テーブル３ｃでは、親局と同じ周波数の中継局地は管理から外している。これは、中継局地を設定するまでもなく、親局の周波数で受信が可能となるからである。その一方、プリセット番号「２」、放送局名「Ｄａｔｅ  ｆｍ」の「志津川」と「鳴子」のように親局と違う周波数の中継局地は複数あっても全て管理の対象に入れることにした。これは、互いの中継局地が離れた所にある可能性がある為である。
【００４８】
さらに、親局を除き世帯数の多い順に並べることで、当該テーブル３ｃを参照して生成された画面にてユーザが中継局地を選択し易くなるような便宜を図っている。例えば、ＮＨＫについては、複数の都道府県にまたがって中継局地を管理している為、地域毎に該当するものを区分し、更に世帯数の多い順に並べることで、当該テーブル３ｃを参照して生成された画面にてユーザが中継局地を選択し易くなるようにしている。
【００４９】
以下、図７のフローチャート及び図８の画面遷移図を参照して、本発明の一実施の形態に係る受信装置によるエリア指定プリセット登録の処理について説明する。
【００５０】
処理を開始すると、ＬＣＤ２４にメニュー一覧画面２００が表示され、「地域指定登録」についても選択項目の一つとして表示される（ステップＳ１）。
【００５１】
続いて、ＣＰＵ１７は、ユーザによりキー操作部２７が操作されて、「地域指定登録」が選択されたか否かを判断する（ステップＳ２）。
【００５２】
このステップＳ２において、ＣＰＵ１７は、「地域指定登録」が選択されていない、つまり他の項目が選択されたものと判断した場合には（ステップＳ２をＮｏに分岐）、他の処理へと移行する。一方、ＣＰＵ１７は、「地域指定登録」が選択されたものと判断した場合には（ステップＳ２をＹｅｓに分岐）、選択可能な地域一覧画面２０１をＬＣＤ２４に表示する（ステップＳ３）。この画面２０１では、「北海道／札幌」から「沖縄」まで全ての地域が選択項目として表示される。
【００５３】
続いて、ＣＰＵ１７は、キー操作部２７の操作により、選択項目の中から所望とする地域が選択され決定されたか否かを判断する（ステップＳ４）。このステップＳ４にて、ＣＰＵ１７は、地域が決定されなかったものと判断した場合、即ち「戻る」が選択された場合には（ステップＳ４をＮｏに分岐）、ステップＳ１に戻り上記処理を繰り返す。
【００５４】
一方、ＣＰＵ１７は、地域が決定されたものと判断した場合には（ステップＳ４をＹｅｓに分岐）、地域指定登録がなされ、その確認画面２０２がＬＣＤ２４に表示される（ステップＳ５）。即ち、ＣＰＵ１７は、プリセット局情報管理テーブル３ｂを参照し、選択された地域に対応するプリセット登録を行う。
【００５５】
このプリセット登録では、プリセットメモリ２１の各プリセット番号に対応した領域に放送局／中継局地、及び周波数の情報を格納する。画面２０２では「プリセットリスト１  宮城に設定します」との旨が確認の意味で表示される。
【００５６】
続いて、ＣＰＵ１７は「確定」がなされたか否かを判断し（ステップＳ６）、「確定」がなされたと判断した場合（ステップＳ６をＹｅｓに分岐）、ステップＳ１に戻り、上記処理を繰り返す。一方、ＣＰＵ１７は「取消」がなされたと判断した場合（ステップＳ６をＮｏに分岐）、ステップＳ３に戻り、上記処理を繰り返す。つまり、ステップＳ６にて「確定」がなされたことを確認することで、地域指定登録を完了する。
【００５７】
このような一例に処理により、ユーザはラジオ放送波を受信したいエリア、更には地域を選ぶ画面２０１に入り、地域（つまり、都道府県（都市））を選択する。この時点で受信装置では、プリセット局情報管理テーブル３ｂで管理されているプリセット登録に係るデータがプリセットメモリ２１に登録される。
【００５８】
尚、テレビ放送波、特にワンセグ放送波など、他のメディア放送にも地域選択等がある場合には、上記の操作をすることで同時に設定することが可能となる。
【００５９】
さらに、基本的にはエリア・地域情報管理テーブル３ａを参照し、地域（都道府県（都市））が含まれるエリアにある放送局の親局をプリセットするのだが、各放送局について選択した都道府県庁所在地（都市）で受信可能な中継局地に割り当てられた周波数をプリセットするため、同じエリア内でも選択した地域（つまり都道府県（都市））により、プリセット内容は異なる。この点、従来技術では「エリア」でのみ対応する放送局、周波数をプリセット登録していたので、例えば、山形でＮＨＫ・ＦＭを受信しようとしても、初期値が仙台（宮城）の周波数８２．５（ＭＨｚ）であったため、中継局を山形の８２．１（ＭＨｚ）に設定し直さなければならなかった。しかしながら、本実施の形態に係る受信装置では、各地域毎にプリセット局情報管理テーブル３ｂを有しており、ＣＰＵ１７が選択された地域についてのプリセット局情報管理テーブル３ｂを参照して登録を実行しているので、選択された地域に好適な放送局、中継局地、周波数がプリセット登録される。
【００６０】
次に、図９のフローチャート及び図１０の画面遷移図を参照して、本発明の一実施の形態に係る受信装置による中継局設定の処理について説明する。
【００６１】
処理を開始すると、メニュー一覧画面３００をＬＣＤ２４に表示する（ステップＳ１１）。この例では、画面３００では、「中継局設定」等を選択項目として表示し、ユーザにキー操作部２７（ジョグレバー１０６）の操作による選択を促す。続いて、ＣＰＵ１７は選択項目である「中継局設定」が選択されたか否かを判断する（ステップＳ１２）。
【００６２】
このステップＳ１２において、選択項目「中継局設定」が選択されていない、つまり他の選択項目が選択されたものと判断した場合には（ステップＳ１２をＮｏに分岐）、ＣＰＵ１７は他の処理へ移行する。一方、選択項目「中継局設定」が選択されたものと判断した場合には（ステップＳ１２をＹｅｓに分岐）、ＣＰＵ１７は、選択可能な中継局一覧に係る画面３０１をＬＣＤ２４に表示する（ステップＳ１３）。この実施の形態では、中継局設定の処理を開始する直前に放送局名「Ｄａｔｅ  ｆｍ」を受信していた場合を例示しているので、画面３０１においては、当該放送局名「Ｄａｔｅ  ｆｍ」に対応する選択可能な中継局地及び周波数を表示する。
【００６３】
この点、従来の受信装置では周波数選局画面としてプリセット番号と周波数しか表示しておらず、更新のためにはユーザはプリセット番号と周波数（中継局）の割り当てを記憶していなければならなかったが、この実施の形態に係る受信装置では、中継局地及び周波数を合わせて表示することが可能となるので、ユーザに利便性を提供できる。即ち、より詳細には、この実施の形態に係る受信装置によれば、受信したい放送局のプリセット番号や周波数を知らずとも中継局地の設定を簡易且つ迅速に行うことが可能となる。
【００６４】
続いて、ユーザがキー操作部２７を操作して、画面３０１に表示されている中継局地から所望とするものを選択するよう促し（ステップＳ１４）、選択がなされると当該選択に従ってプリセットメモリ２１の記憶内容を更新し、中継局設定の確認画面３０２をＬＣＤ２４に表示し（ステップＳ１５）、ステップＳ１１に戻り、つまりメニュー一覧に係る画面３００の表示に戻り、上記処理を繰り返すことになる。
【００６５】
このような一例の処理により、例えば仙台から離れた宮城県北地域で「Ｄａｔｅ  ｆｍ」を聞きたい場合、初期プリセットは親局（仙台）の７７．１（ＭＨｚ）であるため受信できない可能性があるが、中継局設定に入り、ユーザは中継局地の一覧から受信したい地域に近い中継局地を選ぶことで、簡単に周波数をプリセットすることができる。即ち、中継局地と周波数とを同時に表示することにより、受信したい地域に一番近い中継局地を選ぶことで、簡単に最良の受信状態が得られることとなる。
【００６６】
以上説明したように、本発明によれば、ユーザは受信したい放送局のプリセット番号や周波数を知らずとも放送局名で選局ができ、さらに好適な中継局の周波数が分からない場合でも表示された中継局地を参照して好適な周波数を簡単に選ぶことができる。これにより、ユーザは「放送局が間違っているのでは？」、「周波数が間違っているのでは？」という疑問を持つことなく安心してラジオを聴くことができるようになる。
【００６７】
以上、本発明の実施の形態について説明したが、本発明はこれに限定されることなくその趣旨を逸脱しない範囲で種々の改良・変更が可能であることは勿論である。例えば、受信強度の情報を更に用いてプリセット登録を行うようにしてもよい。
【図面の簡単な説明】
【００６８】
【図１】本発明の一実施の形態に係る受信装置の構成図。
【図２】図１の受信装置の構成を更に具現化して示した構成図。
【図３】図１の受信装置の外観構成図。
【図４】エリア・地域情報管理テーブル３ａの一例を示す図。
【図５】（ａ）乃至（ｃ）は、プリセット局情報管理テーブル３ｂの一例を示す図。
【図６】中継局情報管理テーブル３ｃの一例を示す図。
【図７】本発明の一実施の形態に係る受信装置による地域指定登録の処理について説明するフローチャート。
【図８】本発明の一実施の形態に係る受信装置による地域指定登録の処理について説明する画面遷移図。
【図９】本発明の一実施の形態に係る受信装置による中継局設定の処理について説明するフローチャート。
【図１０】本発明の一実施の形態に係る受信装置による中継局設定の処理について説明する画面遷移図。
【符号の説明】
【００６９】
１…制御部、２…制御プログラム、２ａ…エリア・地域設定機能、２ｂ…プリセット局設定機能、２ｃ…中継局設定機能、３…記憶部、３ａ…エリア・地域情報管理テーブル、３ｂ…プリセット局情報管理テーブル、３ｃ…中継局情報管理テーブル、４…表示部、５…操作入力部、６…受信部、６ａ…アンテナ、７…復調部、８…音声出力部
【図１】
2008259034.tif 000003
【図２】
2008259034.tif 000004
【図３】
2008259034.tif 000005
【図４】
2008259034.tif 000006
【図５】
2008259034.tif 000007
【図６】
2008259034.tif 000008
【図７】
2008259034.tif 000009
【図８】
2008259034.tif 000010
【図９】
2008259034.tif 000011
【図１０】
2008259034.tif 000012